(57)【特許請求の範囲】
【請求項１】
通信インターフェースと、
記憶媒体と、
前記通信インターフェースと前記記憶媒体とに結合された処理回路であって、前記処理回路は、
前記通信インターフェースを介して複数の前に成功したアクセスプローブを送信することと、
前記複数の前に成功したアクセスプローブに関連する１つまたは複数のパラメータに少なくとも部分的に基づいて初期送信電力レベルを判断することと、
前記通信インターフェースを介して後続のアクセス試行の初期アクセスプローブを送信することと、ここにおいて、前記初期アクセスプローブは前記判断された初期送信電力レベルで送信される、
デフォルト送信電力レベルに送信をリセットするためにアクセス端末に命令するネットワーク生成メッセージを前記通信インターフェースを介して受信するとき、前記デフォルト送信電力レベルで別の後続のアクセス試行の別の初期アクセスプローブを前記通信インターフェースを介して送信することと、ここにおいて、各後続のアクセスプローブは、アクセスプローブが成功するまで連続的により高い送信電力レベルで送られる、
を行うように適応された、処理回路と
を備える、アクセス端末。
【請求項２】
前記処理回路が、
前記複数の前に成功したアクセスプローブのうちの少なくともいくつかの平均電力レベルに少なくとも部分的に基づいて前記初期送信電力レベルを判断する
ように適応された、請求項１に記載のアクセス端末。
【請求項３】
前記処理回路が、
前記複数の前に成功したアクセスプローブに関連する平均開ループ電力レベルと前記後続のアクセス試行に関連する開ループ電力レベルとの差に少なくとも部分的に基づいて前記初期送信電力レベルを判断する
ように適応された、請求項１に記載のアクセス端末。
【請求項４】
前記処理回路が、
前記複数の前に成功したアクセスプローブのうちの少なくともいくつかの平均電力レベル、および前記複数の前に成功したアクセスプローブに関連する平均開ループ電力レベルと前記後続のアクセス試行に関連する開ループ電力レベルとの差に少なくとも部分的に基づいて前記初期送信電力レベルを判断する
ように適応された、請求項１に記載のアクセス端末。
【請求項５】
前記処理回路は、
前記アクセス端末がモバイルであるのか、少なくとも実質的に固定であるのかを判断することと、
前記アクセス端末が少なくとも実質的に固定であると判断されたとき、前記判断された初期送信電力レベルで後続のアクセス試行の前記初期アクセスプローブを送信することと、
前記アクセス端末がモバイルであると判断されたとき、デフォルト初期送信電力レベルで後続のアクセス試行の前記初期アクセスプローブを送信することと
を行うようにさらに適応された、請求項１に記載のアクセス端末。
【請求項６】
前記処理回路が、
前記通信インターフェースを介して、後続のアクセス試行のための特定の初期送信電力レベルを採用するように前記アクセス端末に命令するメッセージを受信する
ようにさらに適応された、請求項１に記載のアクセス端末。
【請求項７】
前記処理回路が、
アクセス端末ロケーション、無線環境、または両方を監視することと、
前記アクセス端末ロケーション、前記無線環境、または両方の十分な変化に応答して、デフォルト初期送信電力レベルで後続のアクセス試行の初期アクセスプローブを送信することと
を行うようにさらに適応された、請求項１に記載のアクセス端末。
【請求項８】
複数の先行するアクセス試行を行うことと、ここにおいて、各先行するアクセス試行は、アクセスプローブが成功するまで、連続的に増加する電力レベルでアクセスプローブを送信することを備える、
複数の前に成功したアクセスプローブのうちの少なくともいくつかに関連する１つまたは複数のパラメータに少なくとも部分的に基づいて初期送信電力レベルを判断することと、
後続のアクセス試行を行うことと、ここにおいて、初期アクセスプローブは前記判断された初期送信電力レベルで送信される、
デフォルト送信電力レベルに送信をリセットするためにアクセス端末に命令するネットワーク生成メッセージを受信するとき、前記デフォルト送信電力レベルで別の後続のアクセス試行の別の初期アクセスプローブを送信することと、ここにおいて、各後続のアクセスプローブは、アクセスプローブが成功するまで連続的により高い送信電力レベルで送られる、
を備える、アクセス端末において動作可能な方法。
【請求項９】
前記複数の成功したアクセスプローブに関連する１つまたは複数のパラメータに少なくとも部分的に基づいて前記初期送信電力レベルを判断することが、
前記複数の前に成功したアクセスプローブのうちの少なくともいくつかの平均電力レベルに少なくとも部分的に基づいて前記初期送信電力レベルを判断すること
を備える、請求項８に記載の方法。
【請求項１０】
前記複数の成功したアクセスプローブに関連する１つまたは複数のパラメータに少なくとも部分的に基づいて前記初期送信電力レベルを判断することが、
前記複数の前に成功したアクセスプローブに関連する平均開ループ電力レベルと前記後続のアクセス試行に関連する開ループ電力レベルとの差に少なくとも部分的に基づいて前記初期送信電力レベルを判断すること
を備える、請求項８に記載の方法。
【請求項１１】
前記複数の成功したアクセスプローブに関連する１つまたは複数のパラメータに少なくとも部分的に基づいて前記初期送信電力レベルを判断することが、
前記複数の前に成功したアクセスプローブのうちの少なくともいくつかの平均電力レベル（ＰAP）を判断することと、
前記複数の前に成功したアクセスプローブに関連する平均開ループ電力レベル（ＲOLsucc）を判断することと、
前記後続のアクセス試行に関連する開ループ電力レベル（ＲOLnew）を判断することと、
式Ｐ＝ＰAP＋（ＲOLsucc−ＲOLnew）から前記初期送信電力レベル（Ｐ）を判断することと
を備える、請求項８に記載の方法。
【請求項１２】
前記アクセス端末がモバイルであるのか、少なくとも実質的に固定であるのかを判断することと、
前記アクセス端末が少なくとも実質的に固定であると判断したことに応答して、前記判断された初期送信電力レベルで後続のアクセス試行の前記初期アクセスプローブを送信することと、
前記アクセス端末がモバイルであると判断したことに応答して、デフォルト初期送信電力レベルで後続のアクセス試行の前記初期アクセスプローブを送信することと
をさらに備える、請求項８に記載の方法。
【請求項１３】
後続のアクセス試行のための特定の初期送信電力レベルを採用するように前記アクセス端末に命令するメッセージを受信すること
をさらに備える、請求項８に記載の方法。
【請求項１４】
アクセス端末ロケーション、無線環境または両方を監視することと、
前記アクセス端末ロケーション、前記無線環境、または両方の十分な変化に応答して、デフォルト初期送信電力レベルで後続のアクセス試行の初期アクセスプローブを送信することと
をさらに備える、請求項８に記載の方法。
【請求項１５】
複数の先行するアクセス試行を行うための手段と、ここにおいて、各先行するアクセス試行は、アクセスプローブが成功するまで、連続的に増加する電力レベルでアクセスプローブを送信することを備える、
複数の前に成功したアクセスプローブに関連する１つまたは複数のパラメータに少なくとも部分的に基づいて初期送信電力レベルを判断するための手段と、
後続のアクセス試行を行うための手段と、ここにおいて、初期アクセスプローブは前記判断された初期送信電力レベルで送信される、
デフォルト送信電力レベルに送信をリセットするためにアクセス端末に命令するネットワーク生成メッセージを受信するとき、前記デフォルト送信電力レベルで別の後続のアクセス試行の別の初期アクセスプローブを送信するための手段と、ここにおいて、各後続のアクセスプローブは、アクセスプローブが成功するまで連続的により高い送信電力レベルで送られる、
を備える、アクセス端末。
【請求項１６】
プロセッサによって実行されたとき、前記プロセッサに、
複数の前に成功したアクセスプローブに関連する１つまたは複数のパラメータに少なくとも部分的に基づいて初期送信電力レベルを判断することと、
後続のアクセス試行の初期アクセスプローブを送信することと、ここにおいて、前記初期アクセスプローブは前記判断された初期送信電力レベルで送信される、
デフォルト送信電力レベルに送信をリセットするためにアクセス端末に命令するネットワーク生成メッセージを受信するとき、前記デフォルト送信電力レベルで別の後続のアクセス試行の別の初期アクセスプローブを送信することと、ここにおいて、各後続のアクセスプローブは、アクセスプローブが成功するまで連続的により高い送信電力レベルで送られる、
を行わせる、アクセス端末上で動作可能なプログラミングを備えるプロセッサ可読媒体。
【請求項１７】
通信インターフェースと、
記憶媒体と、
前記通信インターフェースと前記記憶媒体とに結合された処理回路であって、前記処理回路は、
アクセス端末から１つまたは複数のアクセスプローブを受信することと、ここにおいて、前記１つまたは複数の受信されたアクセスプローブのうちの少なくとも１つは、複数の前に成功したアクセスプローブに関連する１つまたは複数のパラメータに少なくとも部分的に基づく電力レベルで送信された初期アクセスプローブを備える、
前記通信インターフェースを介して、前記複数の前に成功したアクセスプローブに関連する前記１つまたは複数のパラメータに少なくとも部分的に基づく前記電力レベルの代わりに、後続のアクセス試行のための初期送信電力レベルを採用するように前記アクセス端末に命令するメッセージを送ることと、
デフォルト送信電力レベルで別の後続のアクセス試行の別の初期アクセスプローブの送信を受信することと、
前記デフォルト送信電力レベルに送信をリセットするために前記アクセス端末に命令するネットワークメッセージを選択的に送信することと、ここにおいて、各後続のアクセスプローブは、アクセスプローブが成功するまで連続的により高い送信電力レベルで前記アクセス端末によって送られる、
を行うように適応された、処理回路と
を備える、ネットワークノード。
【請求項１８】
前記処理回路は、
前記通信インターフェースを介して、１つまたは複数のアクセスプローブを受信するより前にアクセスパラメータメッセージを送ることと、ここにおいて、前記アクセスパラメータメッセージは、アクセス試行のために採用されるべき初期送信電力レベルと電力増分値とを示すように適応された、
を行うようにさらに適応された、請求項１７に記載のネットワークノード。
【請求項１９】
前記初期送信電力レベルを採用するように前記アクセス端末に命令する前記メッセージがアクセスパラメータメッセージを備える、請求項１７に記載のネットワークノード。
【請求項２０】
前記初期送信電力レベルを定義する値が、前記特定の初期送信電力レベルを採用するように前記アクセス端末に命令する前記メッセージ中に含まれる、請求項１７に記載のネットワークノード。
【請求項２１】
アクセス端末から１つまたは複数のアクセスプローブを受信することと、ここにおいて、前記１つまたは複数の受信されたアクセスプローブのうちの少なくとも１つは、複数の前に成功したアクセスプローブに関連する１つまたは複数のパラメータに少なくとも部分的に基づく電力レベルで送信された初期アクセスプローブを備える、
前記複数の前に成功したアクセスプローブに関連する前記１つまたは複数のパラメータに少なくとも部分的に基づく前記電力レベルの代わりに、後続のアクセス試行のための初期送信電力レベルを採用するように前記アクセス端末に命令するメッセージを送信することと、
デフォルト送信電力レベルで別の後続のアクセス試行の別の初期アクセスプローブの送信を受信することと、
前記デフォルト送信電力レベルに送信をリセットするために前記アクセス端末に命令するネットワークメッセージを選択的に送信することと、ここにおいて、各後続のアクセスプローブは、アクセスプローブが成功するまで連続的により高い送信電力レベルで前記アクセス端末によって送られる、
を備える、ネットワークノードにおいて動作可能な方法。
【請求項２２】
前記１つまたは複数のアクセスプローブを受信するより前にアクセスパラメータメッセージを送信することと、ここにおいて、前記アクセスパラメータメッセージは、アクセス試行のために採用されるべき初期送信電力レベルと電力増分値とを示すように適応された、
をさらに備える、請求項２１に記載の方法。
【請求項２３】
前記初期送信電力レベルを採用するように前記アクセス端末に命令する前記メッセージを送信することが、
前記特定の初期送信電力レベルとしてデフォルト値を採用するようにとの指示を備える前記メッセージを送信すること
を備える、請求項２１に記載の方法。
【請求項２４】
前記初期送信電力レベルを採用するように前記アクセス端末に命令する前記メッセージを送信することが、前記特定の初期送信電力レベルを定義する値を備える前記メッセージを送信することを備える、請求項２１に記載の方法。
【請求項２５】
前記初期送信電力レベルを採用するように前記アクセス端末に命令する前記メッセージを送信することが、
前記特定の初期送信電力レベルを採用するように前記アクセス端末に命令するように適応されたインジケータを含むアクセスパラメータメッセージを送信すること
を備える、請求項２１に記載の方法。
【請求項２６】
アクセス端末から１つまたは複数のアクセスプローブを受信するための手段と、ここにおいて、前記１つまたは複数の受信されたアクセスプローブのうちの少なくとも１つは、複数の前に成功したアクセスプローブに関連する１つまたは複数のパラメータに少なくとも部分的に基づく電力レベルで送信された初期アクセスプローブを備える、
前記複数の前に成功したアクセスプローブに関連する前記１つまたは複数のパラメータに少なくとも部分的に基づく前記電力レベルの代わりに、後続のアクセス試行のための初期送信電力レベルを採用するように前記アクセス端末に命令するメッセージを送信するための手段と、
デフォルト送信電力レベルで別の後続のアクセス試行の別の初期アクセスプローブの送信を受信するための手段と、
前記デフォルト送信電力レベルに送信をリセットするために前記アクセス端末に命令するネットワークメッセージを選択的に送信するための手段と、ここにおいて、各後続のアクセスプローブは、アクセスプローブが成功するまで連続的により高い送信電力レベルで前記アクセス端末によって送られる、
を備える、ネットワークノード。
【請求項２７】
前記１つまたは複数のアクセスプローブを受信するより前にアクセスパラメータメッセージを送信するための手段と、ここにおいて、前記アクセスパラメータメッセージは、アクセス試行のために採用されるべき初期送信電力レベルと電力増分値とを示すように適応された、
をさらに備える、請求項２６に記載のネットワークノード。
【請求項２８】
プロセッサによって実行されたとき、前記プロセッサに、
アクセス端末から１つまたは複数のアクセスプローブを受信することと、ここにおいて、前記１つまたは複数の受信されたアクセスプローブのうちの少なくとも１つは、複数の前に成功したアクセスプローブに関連する１つまたは複数のパラメータに少なくとも部分的に基づく電力レベルで送信された初期アクセスプローブを備える、
前記複数の前に成功したアクセスプローブに関連する前記１つまたは複数のパラメータに少なくとも部分的に基づく前記電力レベルの代わりに、後続のアクセス試行のための初期送信電力レベルを採用するように前記アクセス端末に命令するメッセージを送ることと、
デフォルト送信電力レベルで別の後続のアクセス試行の別の初期アクセスプローブの送信を受信することと、
前記デフォルト送信電力レベルに送信をリセットするために前記アクセス端末に命令するネットワークメッセージを選択的に送信することと、ここにおいて、各後続のアクセスプローブは、アクセスプローブが成功するまで連続的により高い送信電力レベルで前記アクセス端末によって送られる、
を行わせる、ネットワークノード上で動作可能なプログラミングを備えるプロセッサ可読媒体。
【発明の詳細な説明】
【技術分野】
【０００１】
関連出願の相互参照および優先権主張
本特許出願は、本出願の譲受人に譲渡され、参照により本明細書に明確に組み込まれる、２０１１年１１月１８日に出願された「METHODS AND DEVICES FOR FACILITATING POWER CONSERVATION AND NETWORK OPTIMIZATIONS WHEN ACCESS TERMINALS EXHIBIT LITTLE OR NO MOBILITY」と題する仮出願第６１／５６１，６３８号の優先権を主張する。
【０００２】
本発明の実施形態は、一般にワイヤレス通信に関し、より詳細には、最適化されたアクセスプローブシーケンスを可能にするための方法およびデバイスに関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、ワイヤレス通信を可能にするように適応された様々なタイプのデバイスによってアクセスされ得、複数のデバイスが、利用可能なシステムリソース（たとえば、時間、周波数、および電力）を共有する。そのようなワイヤレス通信システムの例としては、符号分割多元接続（ＣＤＭＡ）システム、時分割多元接続（ＴＤＭＡ）システム、周波数分割多元接続（ＦＤＭＡ）システムおよび直交周波数分割多元接続（ＯＦＤＭＡ）システムがある。
【０００４】
複数のタイプのデバイスが、そのようなワイヤレス通信システムを利用するように適応される。そのようなデバイスは一般にアクセス端末と呼ばれることがある。しばしば、アクセス端末は、アクセス端末がワイヤレス通信システムへのアクセスを維持しながら地理的領域全体にわたって移動することができるように、モビリティのために適応される。しかしながら、いくつかのアクセス端末は、ロケーションの変化をほとんど受けないことがある。ロケーションの変化をほとんど受けないアクセス端末のいくつかの例としては、（マシンタイプ通信（machine-type communication）またはＭＴＣとも呼ばれることがある）マシンツーマシン（Ｍ２Ｍ：machine-to-machine）通信のために適応されたアクセス端末がある。Ｍ２Ｍ適応アクセス端末は、少なくとも実質的にユーザ対話なしに動作するように適応されたアクセス端末を含み得る。
【発明の概要】
【０００５】
様々なタイプのアクセス端末が、しばしば、バッテリーなどの限られた電源で動作し得る。したがって、これらの限られた電源の寿命を改善するための機能が望ましいことがある。本開示の様々な例および実装形態は、アクセスプローブシーケンスを最適化することによって電力節約を可能にする。本開示の１つまたは複数の態様は、本開示の１つまたは複数の特徴に従ってアクセスプローブシーケンスを可能にするように適応されたアクセス端末を含む。少なくとも１つの例では、そのようなアクセス端末は、各々が処理回路に結合された通信インターフェースと記憶媒体とを含み得る。処理回路は、通信インターフェースを介して複数の前に成功したアクセスプローブを送信するように適応され得る。複数の前に成功したアクセスプローブに関連する１つまたは複数のパラメータに少なくとも部分的に基づいて、処理回路は初期送信電力レベルを決定し得る。決定された初期電力レベルは、後続のアクセス試行の初期アクセスプローブを送信するための電力レベルとして処理回路によって採用され得る。
【０００６】
本開示の追加の態様は、アクセス端末上で動作可能な方法を含み、および／またはそのような方法を実行するための手段を含むアクセス端末を含む。そのような方法の１つまたは複数の例は、複数の先行するアクセス試行を行うことを含み得る。各先行するアクセス試行は、アクセスプローブが成功するまで、連続的に増加する電力レベルでアクセスプローブを送信することを含み得る。初期送信電力レベルが、複数の前に成功したアクセスプローブのうちの少なくともいくつかに関連する１つまたは複数のパラメータに少なくとも部分的に基づいて決定され得る。後続のアクセス試行が行われ、初期アクセスプローブが決定された初期送信電力レベルで送信され得る。
【０００７】
本開示のさらなる態様は、アクセス端末上で動作可能なプログラミングを含むプロセッサ可読媒体を含む。１つまたは複数の例によれば、そのようなプログラミングは、プロセッサに、複数の前に成功したアクセスプローブに関連する１つまたは複数のパラメータに少なくとも部分的に基づいて初期送信電力レベルを決定することを行わせ得る。プログラミングは、さらに、プロセッサに、決定された初期送信電力レベルで後続のアクセス試行の初期アクセスプローブを送信することを行わせ得る。
【０００８】
本開示の１つまたは複数のさらなる態様はネットワークノードを含む。少なくとも１つの例では、ネットワークノードは、各々が処理回路に結合された通信インターフェースと記憶媒体とを含み得る。処理回路は、アクセス端末から１つまたは複数のアクセスプローブを受信するように適応され得る。処理回路は、さらに、通信インターフェースを介してアクセス端末にメッセージを送り得る。上記メッセージは、後続のアクセス試行のための特定の初期送信電力レベルを採用するようにアクセス端末に命令するように適応され得る。
【０００９】
本開示のさらに追加の態様は、ネットワークノード上で動作可能な方法を含み、および／またはそのような方法を実行するための手段を含むネットワークノードを含む。そのような方法の１つまたは複数の例は、アクセス端末から１つまたは複数のアクセスプローブを受信することを含み得る。アクセス端末のためにメッセージが送信され得、そのメッセージは、後続のアクセス試行のための特定の初期送信電力レベルを採用するようにアクセス端末に命令し得る。
【００１０】
本開示のさらなる態様は、ネットワークノード上で動作可能なプログラミングを含むプロセッサ可読媒体を含む。１つまたは複数の例によれば、そのようなプログラミングは、プロセッサに、アクセス端末から１つまたは複数のアクセスプローブを受信することと、後続のアクセス試行のための特定の初期送信電力レベルを採用するようにアクセス端末に命令するメッセージを送ることとを行わせ得る。
【００１１】
本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１２】
【図１】本開示の１つまたは複数の態様が適用例を見つけ得る、ネットワーク環境のブロック図。
【図２】少なくとも１つの例による、図１のワイヤレス通信システムの選択構成要素を示すブロック図。
【図３】少なくとも１つの例による、前のアクセス試行に関連するアクセスプローブと後続のアクセス試行に関連するアクセスプローブとを示すブロック図。
【図４】本発明のいくつかの実施形態による、アクセス端末における電力消費を低減しながらアクセス試行を可能にするための一例を示す流れ図。
【図５】少なくとも１つの例による、アクセス端末の選択構成要素を示すブロック図。
【図６】少なくとも１つの例による、アクセス端末上で動作可能な方法を示す流れ図。
【図７】少なくとも１つの例による、ネットワークノードの選択構成要素を示すブロック図。
【図８】少なくとも１つの例による、ネットワークノード上で動作可能な方法を示す流れ図。
【発明を実施するための形態】
【００１３】
添付の図面に関して以下に示す説明は、様々な構成を説明するものであり、本明細書で説明する概念および特徴が実施され得る唯一の構成を表すものではない。以下の説明は、様々な概念の完全な理解を与えるための具体的な詳細を含む。ただし、これらの概念はこれらの具体的な詳細なしに実施され得ることが当業者には明らかであろう。いくつかの事例では、説明する概念および特徴を不明瞭にしないように、よく知られている回路、構造、技法および構成要素をブロック図の形式で示す。
【００１４】
以下の説明では、１つまたは複数の例のいくつかの特徴について説明するためにいくつかの用語を使用する。本明細書で使用する「アクセス端末」という用語は、広く解釈されるものとする。たとえば、「アクセス端末」は、概して、ワイヤレス信号を介して１つまたは複数の他のデバイスと通信する１つまたは複数のデバイスを指す。そのようなアクセス端末は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の好適な用語で呼ばれることもある。アクセス端末は、モバイル端末および／または少なくとも実質的に固定の端末を含み得る。アクセス端末の例としては、モバイルフォン、ページャ、ワイヤレスモデム、携帯情報端末、個人情報マネージャ（ＰＩＭ）、パーソナルメディアプレーヤ、パームトップコンピュータ、ラップトップコンピュータ、タブレットコンピュータ、テレビジョン、アプライアンス、電子リーダー、デジタルビデオレコーダ（ＤＶＲ）、マシンツーマシン（Ｍ２Ｍ）デバイス、および／あるいは少なくとも部分的にワイヤレスまたはセルラーネットワークを介して通信する他の通信／コンピューティングデバイスがある。
【００１５】
本開示全体にわたって提示する様々な概念は、幅広い様々な電気通信システム、ネットワークアーキテクチャ、および通信規格にわたって実施され得る。本開示のいくつかの態様について、ＣＤＭＡおよび第３世代パートナーシッププロジェクト２（３ＧＰＰ２：3rd Generation Partnership Project 2）１ｘプロトコルおよびシステムに関して以下で説明し、関係する用語が、以下の説明の大部分において見つけられ得る。しかしながら、当業者なら、本開示の１つまたは複数の態様が、１つまたは複数の他のワイヤレス通信プロトコルおよびシステムにおいて採用され、含まれ得ることを認識されよう。
【００１６】
図１は、本開示の１つまたは複数の態様が適用例を見つけ得る、ネットワーク環境のブロック図である。ワイヤレス通信システム１００は、１つまたは複数のアクセス端末１０４とワイヤレス通信するように適応された基地局１０２を含む。システム１００は、複数のキャリア（異なる周波数の波形信号）上での動作をサポートし得る。マルチキャリア送信機は、複数のキャリア上で同時に被変調信号を送信することができる。各被変調信号は、ＣＤＭＡ信号、ＴＤＭＡ信号、ＯＦＤＭＡ信号、シングルキャリア周波数分割多元接続（ＳＣ−ＦＤＭＡ）信号などであり得る。各被変調信号は、異なるキャリア上で送られ得、制御情報（たとえば、パイロット信号）、オーバーヘッド情報、データなどを搬送し得る。
【００１７】
基地局１０２は、基地局アンテナを介してアクセス端末１０４とワイヤレス通信することができる。基地局１０２は、複数のキャリアを介して基地局コントローラ（図２参照）の制御下でアクセス端末１０４と通信するように構成される。基地局１０２のサイトの各々は、それぞれの地理的エリアに通信カバレージを与えることができる。各基地局１０２のためのカバレージエリア１０６は、ここでは、セル１０６ａ、１０６ｂ、または１０６ｃとして識別される。基地局１０２のためのカバレージエリア１０６は、（図示されていないが、カバレージエリアの一部分のみを構成する）セクタに分割され得る。システム１００は、異なるタイプの基地局１０２（たとえば、マクロ基地局、マイクロ基地局、および／またはピコ基地局）を含み得る。
【００１８】
アクセス端末１０４はカバレージエリア１０６全体にわたって分散され得る。各アクセス端末１０４は１つまたは複数の基地局１０２と通信し得る。図２は、少なくとも１つの例による、ワイヤレス通信システム１００の選択構成要素を示すブロック図である。図示のように、基地局１０２は無線アクセスネットワーク（ＲＡＮ）２０２の少なくとも一部として含まれる。無線アクセスネットワーク（ＲＡＮ）２０２は、概して、１つまたは複数のアクセス端末１０４と、コアネットワーク２０４中に含まれるネットワークエンティティなどの１つまたは複数の他のネットワークエンティティとの間のトラフィックおよびシグナリングを管理するように適応される。無線アクセスネットワーク２０２は、当業者によって、基地局サブシステム（ＢＳＳ）、アクセスネットワーク、ＵＭＴＳ地上波無線アクセスネットワーク（ＵＴＲＡＮ：UMTS Terrestrial Radio Access Network）などと呼ばれることもある。
【００１９】
１つまたは複数の基地局１０２に加えて、無線アクセスネットワーク２０２は、当業者によって無線ネットワークコントローラ（ＲＮＣ）と呼ばれることもある基地局コントローラ（ＢＳＣ）２０６を含むことができる。基地局コントローラ２０６は、概して、基地局コントローラ２０６に接続された１つまたは複数の基地局１０２に関連する１つまたは複数のカバレージエリア内でのワイヤレス接続の確立、解放、および維持を担当する。基地局コントローラ２０６は、コアネットワーク２０４の１つまたは複数のノードまたはエンティティに通信可能に結合され得る。
【００２０】
コアネットワーク２０４は、無線アクセスネットワーク２０２を介して接続されたアクセス端末１０４に様々なサービスを与えるワイヤレス通信システム１００の一部分である。コアネットワーク２０４は、回線交換（ＣＳ：circuit-switched）ドメインとパケット交換（ＰＳ：packet-switched）ドメインとを含み得る。回線交換エンティティのいくつかの例としては、ＭＳＣ／ＶＬＲ２０８として識別された、モバイル交換センター（ＭＳＣ：mobile switching center）およびビジターロケーションレジスタ（ＶＬＲ：visitor location register）、ならびにゲートウェイＭＳＣ（ＧＭＳＣ：Gateway MSC）２１０がある。パケット交換要素のいくつかの例としては、サービングＧＰＲＳサポートノード（ＳＧＳＮ：Serving GPRS Support Node）２１２およびゲートウェイＧＰＲＳサポートノード（ＧＧＳＮ：Gateway GPRS Support Node）２１４がある。ＥＩＲ、ＨＬＲ、ＶＬＲおよびＡｕＣなど、他のネットワークエンティティが含まれ得、それらの一部または全部が回線交換ドメインとパケット交換ドメインの両方によって共有され得る。アクセス端末１０４は、回線交換ドメインを介して公衆交換電話網（ＰＳＴＮ：public switched telephone network）２１６へのアクセスを取得し、パケット交換ドメインを介してＩＰネットワーク２１８へのアクセスを取得することができる。
【００２１】
アクセス端末１０４がワイヤレス通信システム１００内で動作するとき、アクセス端末は、呼設定手順の一部として１つまたは複数のアクセスプローブを送信し得る。アクセスプローブは、呼設定のためにアクセスチャネル（ＡＣＨ：access channel）上でアクセス端末１０４から基地局１０２に送られる送信ユニットを指す。従来のワイヤレス通信システムでは、アクセスプローブは、連続的に増加する電力レベルでアクセス端末１０４によって送信され得る。たとえば、図１および図３を参照すると、アクセス端末１０４は、第１のまたは初期の送信電力レベルで初期アクセスプローブ３０２を送信することになる。初期アクセスプローブが成功しなかった（または失敗した）（すなわち、アクセス端末１０４が、応答なしブロック３０４によって示されるように基地局１０２から応答メッセージを受信しなかった）場合、アクセス端末１０４は、所定の電力増分に従って送信電力レベルを増加させ、次いで後続のアクセスプローブ３０６を送信する。先行するアクセスプローブが成功しないたびに、アクセス端末１０４は、後続のアクセスプローブが成功する（たとえば、応答メッセージが受信されたので、プローブ３０８が成功する）か、または電力レベル最大値に達するまで、所定の電力増分に従って送信電力レベルを増加させ、後続のアクセスプローブを送信する。
【００２２】
アクセス端末１０４によるいかなる後続のアクセス試行についても、このアクセスプローブシーケンスは、一般に、同じ初期送信電力レベルで初期アクセスプローブを送信することと、所定の電力増分だけ送信電力レベルを増加させることとによって繰り返される。特に、アクセス端末１０４が送信する各不成功のアクセスプローブについて、図３に示すように、電力が浪費される。すなわち、不成功のアクセスプローブはアクセス端末１０４とワイヤレス通信ネットワーク１００との間の呼設定プロセスを進めないので、不成功のアクセスプローブを送信するためにアクセス端末１０４よって消費される電力は浪費される。
【００２３】
いくつかの事例では、アクセス端末１０４のうちの１つまたは複数が固定または実質的に固定であり得、その結果、様々なアクセス試行の成功したアクセスプローブのための電力レベルは少なくとも実質的に同様であり得る。そのような固定または実質的に固定のアクセス端末１０４の一例としては、マシンツーマシン（Ｍ２Ｍ）対応アクセス端末１０４がある。Ｍ２Ｍ対応アクセス端末１０４は、少なくとも実質的にユーザ対話なしに、ワイヤレス通信システム１００上で１つまたは複数のデバイスとワイヤレス通信するように適応される。Ｍ２Ｍアクセス端末１０４は、ワイヤレス通信システム１００を介してアプリケーション（たとえば、ソフトウェアプログラム）に中継されるイベントをキャプチャするように適応された通信デバイス（たとえば、温度をキャプチャするセンサー、インベントリレベルをキャプチャするためのメーターなど）を備え得、イベントデータが有意味な情報（たとえば、温度を下げる／上げる必要がある、アイテムを補充する必要があるなど）に変換され得る。限定ではなく例として、Ｍ２Ｍアクセス端末１０４は、サーモスタット、水道メーター、スプリンクラーシステム、スマートメーター、アプライアンスなどを含み得る。
【００２４】
述べたように、固定または実質的に固定であるアクセス端末１０４は、概して、特定の基地局１０２との間で同様の信号パラメータを保持し得る。その結果、各成功したアクセスプローブのための送信電力レベルが、複数のアクセス試行について少なくとも実質的に同様であり得る。少なくとも１つの特徴によれば、本開示のアクセス端末１０４は、図３のブロック図の下部に示すように、不成功のアクセスプローブの送信を低減するかさらにはなくすために後続のアクセス試行の初期アクセスプローブのための初期送信電力レベルを決定するために、前に成功したアクセスプローブに関連する情報を採用するように適応され得る。
【００２５】
図４は、アクセス端末における電力消費を低減しながらアクセス試行を可能にするための一例を示す流れ図である。図示のように、アクセス端末１０４はネットワークノード４０２と通信することができる。ネットワークノード４０２は、図１および図２に示されている基地局１０２、基地局コントローラ２０６、および／またはＭＳＣ／ＶＬＲ２０８など、１つまたは複数のネットワーク要素を表し得る。初めに、ネットワークノード４０２は、４０４において、アクセスプローブシーケンスのための初期電力レベルならびに各後続のアクセスプローブのための電力増分を示す、アクセスパラメータメッセージを送信し得る。
【００２６】
アクセス端末１０４がアクセス試行を開始するとき、アクセス端末１０４は、４０６において、連続的に増加する送信電力レベルで複数のアクセスプローブを送信し得る。複数のアクセスプローブのうちの１つの受信に成功したことに応答して、ネットワークノード４０２は、４０８において、アクセス端末１０４に応答を送信する。ネットワークノード４０２から応答を受信すると、アクセス端末１０４は、４１０において、ネットワークノード４０２による受信に成功したアクセスプローブに関連する送信電力レベルを決定することができる。
【００２７】
１つまたは複数の前に成功したアクセスプローブに関連する、４１０において決定された送信電力レベルを使用して、アクセス端末１０４は別のアクセス試行を開始し得、これは、一般に、たとえば、連続的に増加する電力レベルで、別の１つまたは複数のアクセスプローブを送ることを含む。ただし、デフォルト初期送信電力レベルで開始する代わりに、アクセス端末１０４は、４１２において、前に成功した（１つまたは複数の）アクセス試行に関連する（１つまたは複数の）送信電力レベルに基づく送信電力レベルで第１のアクセスプローブを送信し得る。
【００２８】
少なくともいくつかの事例では、ネットワークノード４０２は、４１４において、後続のアクセス試行が、示されたおよび／またはデフォルトの第１のまたは初期の送信電力レベルで送信される初期アクセスプローブで開始するべきであることをアクセス端末１０４に命令するメッセージをアクセス端末１０４に送るように適応され得る。この事例では、アクセス端末１０４は従来のアクセスプローブシーケンスを実行することになり、第１のアクセスプローブが第１のまたは初期の送信電力レベルで送られ、アクセスプローブが成功するまで、各後続のアクセスプローブが連続的により高い送信電力レベルで送られる。少なくともいくつかの事例では、ネットワークノード４０２は、アクセス端末１０４によって送られるアクセスプローブの送信電力に影響を及ぼし得る、ネットワークノード４０２における１つまたは複数のパラメータの変化に応答して、そのようなメッセージを送り得る。
【００２９】
少なくともいくつかの事例では、アクセス端末１０４は、４１６において、アクセス端末１０４のロケーションが著しく変化した、および／または無線環境（たとえば、１つまたは複数の近隣セルの相対的信号強度）が著しく変化したと決定するように適応され得る。そのような事例では、アクセス端末１０４は、４１８において、従来のアクセスプローブシーケンスを実行し得、第１のアクセスプローブが第１のまたは初期の送信電力レベル（たとえば、４０４においてアクセスパラメータメッセージによって示されたデフォルト送信電力レベル）で送られ、アクセスプローブが成功するまで、各後続のアクセスプローブが連続的により高い送信電力レベルで送られる。
【００３０】
図５は、少なくとも１つの例による、アクセス端末５００の選択構成要素を示すブロック図である。アクセス端末５００は、通信インターフェース５０４と記憶媒体５０６とに結合された、またはそれらと電気通信するように配置された処理回路５０２を含み得る。インターフェースは、受信機、送信機、またはトランシーバであり得る。
【００３１】
処理回路５０２は、データを取得し、処理しおよび／または送り、データアクセスおよび記憶を制御し、コマンドを発行し、他の所望の動作を制御するように構成される。処理回路５０２は、少なくとも１つの例において、適切な媒体によって与えられた所望のプログラミングを実装するように構成された回路を含み得る。たとえば、処理回路５０２は、１つまたは複数のプロセッサ、１つまたは複数のコントローラ、および／または実行可能プログラミングを実行するように構成された他の構造として実装され得る。処理回路５０２の例としては、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいは本明細書で説明する機能を実行するように設計されたそれらの任意の組合せがあり得る。汎用プロセッサは、マイクロプロセッサ、ならびに任意の従来のプロセッサ、コントローラ、マイクロコントローラ、または状態機械を含み得る。処理回路５０２はまた、ＤＳＰとマイクロプロセッサとの組合せ、いくつかのマイクロプロセッサ、ＤＳＰコアと連携する１つまたは複数のマイクロプロセッサ、ＡＳＩＣとマイクロプロセッサ、あるいは任意の他の数の様々な構成など、コンピューティング構成要素の組合せとして実装され得る。処理回路５０２のこれらの例は説明のためであり、本開示の範囲内の他の好適な構成も企図される。
【００３２】
処理回路５０２は、記憶媒体５０６に記憶され得るプログラミングの実行を含む処理のために適応される。本明細書で使用する「プログラミング」という用語は、ソフトウェア、ファームウェア、ミドルウェア、マイクロコード、ハードウェア記述言語などの名称にかかわらず、限定はしないが、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを含むと広く解釈されたい。
【００３３】
通信インターフェース５０４は、アクセス端末５００のワイヤレス通信を可能にするように構成される。たとえば、通信インターフェース５０４は、１つまたは複数のワイヤレスネットワークデバイス（たとえば、ネットワークノード）に関して双方向に情報の通信を可能にするように適応された回路および／またはプログラミングを含み得る。通信インターフェース５０４は、１つまたは複数のアンテナ（図示せず）に結合され得、少なくとも１つの受信機回路５０８（たとえば、１つまたは複数の受信機チェーン）および／または少なくとも１つの送信機回路５１０（たとえば、１つまたは複数の送信機チェーン）を含むワイヤレストランシーバ回路を含む。
【００３４】
記憶媒体５０６は、プロセッサ実行可能コードまたは命令（たとえば、ソフトウェア、ファームウェア）などのプログラミングおよび／またはデータ、電子データ、データベース、あるいは他のデジタル情報を記憶するための１つまたは複数のデバイスを表し得る。記憶媒体５０６はまた、プログラミングを実行するときに処理回路５０２によって操作されるデータを記憶するために使用され得る。記憶媒体５０６は、汎用または専用プロセッサによってアクセスされ得る任意の利用可能な媒体であり得る。限定ではなく例として、記憶媒体５０６は、磁気ストレージデバイス（たとえば、ハードディスク、フロッピー（登録商標）ディスク、磁気ストリップ）、光記憶媒体（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスクなどの非一時的コンピュータ可読媒体、および／または情報を記憶するための他の非一時的コンピュータ可読媒体、ならびにそれらの任意の組合せを含み得る。
【００３５】
記憶媒体５０６は、処理回路５０２が記憶媒体５０６から情報を読み取り、記憶媒体５０６に情報を書き込むことができるように処理回路５０２に結合され得る。すなわち、記憶媒体５０６は、記憶媒体５０６が処理回路５０２によって少なくともアクセス可能であるように処理回路５０２に結合され得、記憶媒体５０６が処理回路５０２と一体である例、および／または記憶媒体５０６が処理回路５０２とは別個である（たとえば、アクセス端末５００中に常駐する、アクセス端末５００の外部にある、複数のエンティティにわたって分散される）例を含む。
【００３６】
記憶媒体５０６によって記憶されたプログラミングは、処理回路５０２によって実行されたとき、本明細書で説明する様々な機能および／またはプロセスステップのうちの１つまたは複数を実行することを処理回路５０２に行わせる。たとえば、記憶媒体５０６は、本明細書で説明する特徴のうちの１つまたは複数に従って１つまたは複数のアクセス試行を実行することを処理回路５０２に行わせるように適応されたアクセス試行動作５１２を含み得る。したがって、本開示の１つまたは複数の態様によれば、処理回路５０２は、本明細書で説明するアクセス端末（たとえば、アクセス端末１０２）のいずれかまたはすべてについてのプロセス、機能、ステップおよび／またはルーチンのいずれかまたはすべてを（記憶媒体５０６と連携して）実行するように適応される。本明細書で使用する、処理回路５０２に関する「適応される」という用語は、処理回路５０２が、本明細書で説明する様々な特徴に従って、特定のプロセス、機能、ステップおよび／またはルーチンを実行するように構成、採用、実装、および／またはプログラムされることのうちの１つまたは複数を指すことがある。
【００３７】
図６は、アクセス端末５００などのアクセス端末上で動作可能な方法の少なくとも１つの例を示す流れ図である。図５および図６を参照すると、アクセス端末５００が、ステップ６０２において、複数の先行するアクセス試行を行う。先行するアクセス試行の各々は、アクセスプローブが成功するまで、連続的に増加する電力レベルでアクセスプローブを送信することを含み得る。たとえば、アクセス試行動作５１２を実行する処理回路５０２は、複数の先行するアクセス試行を行い得る。各先行するアクセス試行について、アクセス試行動作５１２を実行する処理回路５０２は、アクセスプローブが成功するまで、連続的に増加する電力レベルで通信インターフェース５０４を介してアクセスプローブを送信し得る。少なくとも第１のアクセス試行について、初期送信電力レベルは、アクセス端末５００において前にプロビジョニングされた（たとえば、前に記憶媒体５０６に記憶された）デフォルト初期電力レベル、または通信インターフェース５０４を介してネットワークから受信された１つまたは複数のメッセージ（たとえば、アクセスパラメータメッセージ）によって示される初期電力レベルのいずれかであり得る。
【００３８】
ステップ６０４において、アクセス端末５００は、複数の前に成功したアクセスプローブに関連する１つまたは複数のパラメータに少なくとも部分的に基づいて後続のアクセス試行のための初期送信電力レベルを決定する。たとえば、アクセス試行動作５１２を実行する処理回路５０２は、前に成功したアクセスプローブのうちの少なくともいくつかに関連する１つまたは複数のパラメータに少なくとも部分的に基づいて後続のアクセス試行のための初期電力レベルを決定し得る。１つまたは複数の例によれば、１つまたは複数のパラメータは、前に成功したアクセスプローブに関連する送信電力レベル、前に成功したアクセスプローブに関連する開ループ電力レベル、および／または現在アクセス試行のための開ループ電力レベルを含み得る。
【００３９】
少なくとも１つの例では、アクセス試行動作５１２を実行する処理回路５０２は、前に成功したアクセスプローブのうちの少なくともいくつかの平均電力レベルに少なくとも部分的に基づいて後続のアクセス試行のための初期電力レベルを決定し得る。たとえば、処理回路５０２が複数のアクセス試行を行うことができるとき、複数の成功したアクセスプローブが生じる（たとえば、アクセスプローブにより、ネットワークからの応答メッセージが生じる）。アクセス試行動作５１２を実行する処理回路５０２は、ある数「Ｎ」個の前に成功したアクセスプローブのための送信電力レベルに関連する値を記憶し得る。アクセス試行動作５１２を実行する処理回路５０２は、次いで、「Ｎ」個の成功したアクセスプローブのための平均送信電力レベルをその後計算することができる。この平均送信電力レベルは、後続のアクセス試行のための初期アクセスプローブを送信するために処理回路５０２によって採用されるべき初期送信電力レベルを表し得る。
【００４０】
「Ｎ」個の前に成功したアクセスプローブに関連する送信電力レベルを平均化することによって、処理回路５０２は、前のアクセス試行におけるアクセスプローブが、成功していたであろうが、問題に遭遇し、その結果アクセスプローブが失敗した、事例を最小限に抑えることができる。たとえば、成功していたであろう送信電力レベルで送られたアクセスプローブが衝突に遭遇し、それによりアクセスプローブが失敗した場合、処理回路５０２は、それに応じて、定義された増分だけ送信電力レベルを増加させ、別のアクセスプローブを送り得る。ある数「Ｎ」個の前に成功したアクセスプローブに関連する送信電力レベルを平均化することによって、処理回路５０２は、この人工的に高い送信電力レベルの影響を低減することができる。
【００４１】
少なくとも１つの例では、アクセス試行動作５１２を実行する処理回路５０２は、後続のアクセス試行のための初期送信電力レベルを決定する際に開ループ電力レベルを採用し得る。開ループ電力レベルは、たとえば、ネットワークから（たとえば、図１および図２の基地局１０２から）送信され、通信インターフェース５０４を介して処理回路５０２によって受信された、１つまたは複数の特殊な信号に関連する受信信号強度インジケータ（ＲＳＳＩ）に対応する、検出された電力レベルを指す。たとえば、ＣＤＭＡシステムでは、チャネル状態を推定し、次いで、ネットワークに返信するための電力推定値を決定するために、パイロット信号が使用され得る。
【００４２】
１つまたは複数の例では、アクセス試行動作５１２を実行する処理回路５０２は、複数の前に成功したアクセスプローブに関連する平均開ループ電力レベルと後続のアクセス試行に関連する開ループ電力レベルとの差に少なくとも部分的に基づいて後続のアクセス試行のための初期送信電力レベルを決定し得る。言い換えれば、アクセス試行動作５１２を実行する処理回路５０２は、ある数「Ｎ」個の前に成功したアクセスプローブに関連する平均開ループ電力レベル（ＲOLsucc）を決定し得る。アクセス試行動作５１２を実行する処理回路５０２は、さらに、後続のアクセス試行に関連することになる現在開ループ電力レベル（ＲOLnew）を決定し得る。アクセス試行動作５１２を実行する処理回路５０２は、次いで、平均開ループ電力レベルと現在開ループ電力レベルとの間の差（ＲOLsucc−ＲOLnew）を計算し得、後続のアクセス試行のための初期電力レベルを決定する際にこの計算を使用し得る。たとえば、後続のアクセス試行のための初期送信電力レベルを取得するために、前に成功したアクセスプローブのための電力レベル（または複数の前に成功したアクセスプローブのための平均電力レベル）が、この開ループ電力レベル計算の結果に鑑みて調整され得る。
【００４３】
この開ループ補正は、少なくとも１つの例では、アクセス端末５００とネットワークノード（たとえば、基地局）との間の信号状態の変化を考慮することができる。たとえば、（たとえば、アクセス端末５００がネットワークノードに近づくことの結果として）前の開ループ電力レベルまたは平均開ループ電力レベルと比較して開ループ電力レベルが増加した場合、アクセス試行動作５１２を実行する処理回路５０２は、後続のアクセス試行のための初期電力レベルが、前に成功した電力レベル（または複数の前に成功した電力レベルの平均）よりも低くなることがあると決定することができる。同様に、（たとえば、アクセス端末５００がネットワークノードから遠ざかることの結果として）前の開ループ電力レベルまたは平均開ループ電力レベルと比較して開ループ電力レベルが減少した場合、アクセス試行動作５１２を実行する処理回路５０２は、後続のアクセス試行のための初期電力レベルが、前に成功した電力レベル（または複数の前に成功した電力レベルの平均）よりも高くなることがあると決定することができる。
【００４４】
少なくともいくつかの例では、アクセス試行動作５１２を実行する処理回路５０２は、複数の前に成功したアクセス試行の平均送信電力レベルと開ループ電力レベル補正との組合せに少なくとも部分的に基づいて後続のアクセス試行のための初期送信電力レベルを決定し得る。たとえば、アクセス試行動作５１２を実行する処理回路５０２は、複数の前に成功したアクセスプローブのうちの少なくともいくつかの平均電力レベル（ＰAP）と、複数の前に成功したアクセスプローブに関連する平均開ループ電力レベル（ＲOLsucc）と、後続のアクセス試行に関連する開ループ電力レベル（ＲOLnew）とを決定し得る。アクセス試行動作５１２を実行する処理回路５０２は、次いで式Ｐ＝ＰAP＋（ＲOLsucc−ＲOLnew）から初期送信電力レベル（Ｐ）を決定し得る。
【００４５】
ステップ６０６において、アクセス端末５００は、後続のアクセス試行を行い、初期アクセスプローブが決定された初期送信電力レベルで送信される。たとえば、アクセス試行動作５１２を実行する処理回路５０２は、連続的に増加する電力レベルで通信インターフェース５０４を介して１つまたは複数の後続のアクセスプローブを送信することによって、別の（または後続の）アクセス試行を行い得る。ただし、デフォルト初期送信電力レベルで後続のアクセス試行の初期アクセスプローブを送信する代わりに、アクセス試行動作５１２を実行する処理回路５０２は、決定された初期送信電力レベルに基づく電力レベルで通信インターフェース５０４を介して初期アクセスプローブを送信し得る。ステップ６０４に関して上記で説明したように、決定された初期送信電力レベルが、１つまたは複数の前に成功したアクセスプローブに少なくとも部分的に基づくので、決定された初期送信電力レベルは成功した送信電力である可能性が高い。すなわち、初期アクセスプローブを送信するために採用される決定された初期送信電力レベルにより、初期アクセスプローブが成功する可能性が高くなることになる。各アクセス試行のための初期アクセスプローブが成功したとき、アクセス端末５００は、失敗したアクセスプローブがないかまたは実質的にほとんど失敗したアクセスプローブがないので、電力を節約することができる。
【００４６】
アクセス端末５００は、初期送信電力レベルのための値および／または送信電力レベルの漸次的増加のための値を定義し得る、アクセスパラメータメッセージをネットワークから受信し得る。概して、アクセス端末５００は、これらのアクセスパラメータメッセージを無視することと、代わりに、決定された初期送信電力レベルを採用することとを行うように適応され得る。いくつかの事例では、アクセス端末５００は、ステップ６０８において、初期送信電力レベルをデフォルト値に、または後続のアクセス試行において使用するためにネットワークによって示される値にリセットする。
【００４７】
いくつかの例では、アクセス端末５００は、示されたおよび／またはデフォルトの値に設定された初期送信電力レベルで後続のアクセス試行を開始するようにアクセス端末５００に命令するメッセージをネットワークから受信し得る。たとえば、アクセス試行動作５１２を実行する処理回路５０２は、ネットワークから通信インターフェース５０４を介してメッセージを受信し得る。受信されたメッセージは、決定された初期送信電力レベルを使用することを停止することと、示されたおよび／またはデフォルトの値を使用することとを行うようにアクセス端末５００に命令するように適応され得る。いくつかの例では、受信されたメッセージは、アクセス端末５００のための命令を含むアクセスパラメータメッセージを備え得る。他の例では、受信されたメッセージは、アクセスパラメータメッセージとは別個のメッセージを備え得る。
【００４８】
他の例では、アクセス端末５００は、アクセス端末５００がロケーションを著しく変更した、および／またはアクセス端末５００が動作している無線環境の著しい変化があったと決定し得る。たとえば、アクセス試行動作５１２を実行する処理回路５０２は、アクセス端末５００のロケーションの著しい変化および／または無線環境の著しい変化を決定し得る。限定ではなく例として、処理回路５０２は、セル再選択を監視することから取得された情報、１つまたは複数の近隣セルのための相対的パイロット信号強度の変化、および／またはアクセス端末５００中に含まれるＧＰＳモジュール（図示せず）から取得されたＧＰＳロケーションに基づいて、ロケーションの著しい変化を決定し得る。限定ではなくさらなる例として、処理回路５０２は、１つまたは複数の近隣セルのための相対的信号パラメータ（たとえば、信号強度、信号品質など）の変化を監視することに基づいて無線環境の著しい変化を決定し得る。
【００４９】
本明細書でアクセス端末５００に関して説明する特徴のうちの少なくともいくつかは、アクセス端末５００が少なくとも実質的に固定であるときに採用され得る。少なくともいくつかの事例では、アクセス端末５００は、それがモバイルであるのか、少なくとも実質的に固定であるのかを決定し得る。たとえば、処理回路５０２は、アクセス端末５００がモバイルであるのか、少なくとも実質的に固定であるのかを決定し得る。処理回路５０２は、ＧＰＳモジュールを介してアクセス端末５００の移動を監視することによって、および／または１つまたは複数の近隣セルのための相対的パイロット信号強度の変化を監視することによって（たとえば、その場合、相対的パイロット信号の大幅な変化は、アクセス端末５００が移動したことを示し得る）、記憶媒体５０６に記憶された事前構成された情報からそのような決定を行い得る。
【００５０】
図７を参照すると、少なくとも１つの実装形態による、ネットワークノード７００の選択構成要素を示すブロック図が示されている。ネットワークノード７００は、通信インターフェース７０４と記憶媒体７０６とに結合された処理回路７０２を含み得る。
【００５１】
処理回路７０２は、データを取得し、処理しおよび／または送り、データアクセスおよび記憶を制御し、コマンドを発行し、他の所望の動作を制御するように構成される。処理回路７０２は、少なくとも１つの例において、適切な媒体によって与えられた所望のプログラミングを実装するように構成された回路を含み得、上記で説明した処理回路５０２と同様の方法で実装および／または適応され得る。
【００５２】
通信インターフェース７０４は、ネットワークノード７００のワイヤレス通信を可能にするように構成される。たとえば、通信インターフェース７０４は、１つまたは複数のアクセス端末に関して双方向に情報の通信を可能にするように適応された回路および／またはプログラミングを含み得る。通信インターフェース７０４は、１つまたは複数のアンテナ（図示せず）に結合され得、少なくとも１つの受信機回路７０８（たとえば、１つまたは複数の受信機チェーン）および／または少なくとも１つの送信機回路７１０（たとえば、１つまたは複数の送信機チェーン）を含むワイヤレストランシーバ回路を含む。
【００５３】
記憶媒体７０６は、プロセッサ実行可能コードまたは命令（たとえば、ソフトウェア、ファームウェア）などのプログラミングおよび／またはデータ、電子データ、データベース、あるいは他のデジタル情報を記憶するための１つまたは複数のデバイスを表し得る。記憶媒体７０６は、上記で説明した記憶媒体５０６と同様の方法で構成および／または実装され得る。
【００５４】
記憶媒体５０６のように、記憶媒体７０６は、その上に記憶されたプログラミングを含む。記憶媒体７０６によって記憶されたプログラミングは、処理回路７０２によって実行されたとき、本明細書で説明する様々な機能および／またはプロセスステップのうちの１つまたは複数を実行することを処理回路７０２に行わせる。たとえば、記憶媒体７０６は、デフォルト初期電力レベルで送信される第１のアクセスプローブを後続のアクセス試行が含むべきであることを示す送信をアクセス端末に送ることを処理回路７０２に行わせるように適応されたアクセスプローブ電力レベルリセット動作７１２を含み得る。したがって、本開示の１つまたは複数の態様によれば、処理回路７０２は、本明細書で説明するネットワークノード（たとえば、図１〜図４中の基地局１０２、基地局コントローラ２０６、ＭＳＣ／ＶＬＲ２０８、および／またはネットワークノード４０２）のいずれかまたはすべてについてのプロセス、機能、ステップおよび／またはルーチンのいずれかまたはすべてを（記憶媒体７０６と連携して）実行するように適応される。本明細書で使用する、処理回路７０２に関する「適応される」という用語は、処理回路７０２が、本明細書で説明する様々な特徴に従って、特定のプロセス、機能、ステップおよび／またはルーチンを実行するように構成、採用、実装、および／またはプログラムされることのうちの１つまたは複数を指すことがある。
【００５５】
図８は、ネットワークノード７００などのネットワークノード上で動作可能な方法の少なくとも１つの例を示す流れ図である。図７および図８を参照すると、ネットワークノード７００が、ステップ８０２において、１つまたは複数のアクセス端末にアクセスパラメータメッセージを送信する。アクセスパラメータメッセージは、各アクセス試行についてアクセス端末によって採用されるべき初期送信電力レベル、および／またはアクセスプローブシーケンスにおいて採用されるべき電力増分を示すことができる。たとえば、アクセスプローブ電力レベルリセット動作７１２を実行する処理回路７０２はアクセスパラメータメッセージを生成し得る。アクセスプローブ電力レベルリセット動作７１２を実行する処理回路７０２は、さらに、通信インターフェース７０４を介して、生成されたアクセスパラメータメッセージを送信し得る。
【００５６】
ステップ８０４において、ネットワークノード７００は、１つまたは複数のアクセス端末から１つまたは複数のアクセスプローブを受信する。たとえば、アクセスプローブ電力レベルリセット動作７１２を実行する処理回路７０２は、通信インターフェース７０４を介して１つまたは複数のアクセスプローブを受信し得る。いくつかの事例では、受信されたアクセスプローブは、複数の前に成功したアクセスプローブに関連する１つまたは複数のパラメータに少なくとも部分的に基づく電力レベルでアクセス端末によって送信された初期アクセスプローブであり得る。
【００５７】
ステップ８０６において、ネットワークノード７００は、後続のアクセス試行のための特定の初期送信電力レベルを使用するようにアクセス端末に命令するメッセージを送信する。たとえば、アクセスプローブ電力レベルリセット動作７１２を実行する処理回路７０２は、上記メッセージを生成し得、通信インターフェース７０４を介して上記メッセージを送り得る。いくつかの例では、このメッセージは他のアクセスパラメータメッセージを備え得、その場合、この他のアクセスパラメータメッセージは、後続のアクセス試行のための特定の初期送信電力レベルを採用するようにアクセス端末に命令するように適応された１つまたは複数のインジケータを含む。そのようなアクセスパラメータメッセージは、アクセス端末が、概して、そのようなアクセスパラメータメッセージを無視するように適応された場合でも、アクセス端末に命令するように適応され得る。たとえば、このアクセスパラメータメッセージは、アクセス端末がそのアクセスパラメータメッセージを無視することがないように適応されたフラグまたは他のインジケータを含み得る。他の例では、上記メッセージは、アクセスパラメータメッセージとは別個であるメッセージを備え得る。少なくともいくつかの事例では、処理回路７０２は、アクセスプローブを送るためにアクセス端末によって採用される送信電力レベルに影響を及ぼし得る、ネットワークノード７００における１つまたは複数のパラメータの変化に応答して、そのようなメッセージを送るように適応され得る。
【００５８】
特定の初期送信電力レベルは初期送信電力レベルのための値であり得、その場合、その値は上記メッセージ中に含まれる。他の例では、特定の初期送信電力レベルはデフォルト値であり得る。そのようなデフォルト値は、上記メッセージ中に含まれ得るか、またはアクセス端末にとってあらかじめ知られている値であり得る。たとえば、デフォルト値は、初期電源投入登録などにおいて、アクセス端末において事前プロビジョニングされていることがある。
【００５９】
上記で説明した態様、構成、および実施形態について具体的な詳細とともに説明したが、図１、図２、図３、図４、図５、図６、図７および／または図８に示した構成要素、ステップ、特徴および／または機能のうちの１つまたは複数は、単一の構成要素、ステップ、特徴または機能に再構成されおよび／または組み合わせられるか、あるいはいくつかの構成要素、ステップ、または機能で実施され得る。また、本開示から逸脱することなく、追加の要素、構成要素、ステップ、および／または機能が追加され得る。図１、図２、図５および／または図７に示した装置、デバイス、および／または構成要素は、図３、図４、図６および／または図８で説明した方法、特徴、またはステップのうちの１つまたは複数を実行するように構成され得る。本明細書で説明する新規のアルゴリズムはまた、効率的にソフトウェアで実装されおよび／またはハードウェアに組み込まれ得る。
【００６０】
また、少なくともいくつかの実装形態について、フローチャート、流れ図、構造図、またはブロック図として示されたプロセスとして説明したことに留意されたい。フローチャートは動作を逐次プロセスとして説明することがあるが、動作の多くは並行してまたは同時に実行され得る。さらに、動作の順序は並び替えられ得る。プロセスは、それの動作が完了したときに終了する。プロセスは、方法、関数、プロシージャ、サブルーチン、サブプログラムなどに対応し得る。プロセスが関数に対応するとき、それの終了は、呼出し関数またはメイン関数への関数の復帰に対応する。
【００６１】
さらに、本明細書で開示する実施形態に関連して説明した様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることを、当業者は諒解されよう。この互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。
【００６２】
「機械可読媒体」、「コンピュータ可読媒体」、および／または「プロセッサ可読媒体」という用語は、限定はしないが、ポータブルまたは固定ストレージデバイス、光ストレージデバイス、ならびに（１つまたは複数の）命令および／またはデータを記憶、含有または搬送することが可能な様々な他の非一時的媒体を含み得る。したがって、本明細書で説明する様々な方法は、「機械可読媒体」、「コンピュータ可読媒体」、および／または「プロセッサ可読媒体」に記憶され、１つまたは複数のプロセッサ、機械および／またはデバイスによって実行され得る、命令および／またはデータによって部分的にまたは完全に実装され得る。本明細書で説明し、添付の図面に示した例に関連する様々な特徴は、本開示の範囲から逸脱することなく、異なる例および実装形態に実装され得る。したがって、ある特定の構造および構成について説明し、添付の図面に示したが、説明した実施形態への様々な他の追加および変更、ならびにそれらの実施形態からの削除は当業者には明らかであるので、そのような実施形態は例示的にすぎず、本開示の範囲を限定するものではない。したがって、本開示の範囲は、以下の特許請求の範囲の文字通りの言葉および法的均等物によってのみ決定される。
以下に、本願の出願当初の特許請求の範囲に記載された発明を付記する。
［Ｃ１］
通信インターフェースと、
記憶媒体と、
前記通信インターフェースと前記記憶媒体とに結合された処理回路であって、前記処理回路は、
前記通信インターフェースを介して複数の前に成功したアクセスプローブを送信することと、
前記複数の前に成功したアクセスプローブに関連する１つまたは複数のパラメータに少なくとも部分的に基づいて初期送信電力レベルを決定することと、
前記通信インターフェースを介して後続のアクセス試行の初期アクセスプローブを送信することであって、前記初期アクセスプローブが前記決定された初期送信電力レベルで送信される、送信することと
を行うように適応された、処理回路と
を備える、アクセス端末。
［Ｃ２］
前記処理回路が、
前記複数の前に成功したアクセスプローブのうちの少なくともいくつかの平均電力レベルに少なくとも部分的に基づいて前記初期送信電力レベルを決定する
ように適応された、請求項１に記載のアクセス端末。
［Ｃ３］
前記処理回路が、
前記複数の前に成功したアクセスプローブに関連する平均開ループ電力レベルと前記後続のアクセス試行に関連する開ループ電力レベルとの差に少なくとも部分的に基づいて前記初期送信電力レベルを決定する
ように適応された、請求項１に記載のアクセス端末。
［Ｃ４］
前記処理回路が、
前記複数の前に成功したアクセスプローブのうちの少なくともいくつかの平均電力レベル、および平均開ループの差
に少なくとも部分的に基づいて前記初期送信電力レベルを決定する
ように適応された、請求項１に記載のアクセス端末。
［Ｃ５］
前記処理回路は、
前記アクセス端末がモバイルであるのか、少なくとも実質的に固定であるのかを決定することと、
前記アクセス端末が少なくとも実質的に固定であると決定されたとき、前記決定された初期送信電力レベルで後続のアクセス試行の前記初期アクセスプローブを送信することと、
前記アクセス端末がモバイルであると決定されたとき、デフォルト初期送信電力レベルで後続のアクセス試行の前記初期アクセスプローブを送信することと
を行うようにさらに適応された、請求項１に記載のアクセス端末。
［Ｃ６］
前記処理回路が、
前記通信インターフェースを介して、後続のアクセス試行のための特定の初期送信電力レベルを採用するように前記アクセス端末に命令するメッセージを受信する
ようにさらに適応された、請求項１に記載のアクセス端末。
［Ｃ７］
前記処理回路が、
アクセス端末ロケーション、無線環境、または両方を監視することと、
前記アクセス端末ロケーション、前記無線環境、または両方の十分な変化に応答して、デフォルト初期送信電力レベルで後続のアクセス試行の初期アクセスプローブを送信することと
を行うようにさらに適応された、請求項１に記載のアクセス端末。
［Ｃ８］
複数の先行するアクセス試行を行うことであって、各先行するアクセス試行は、アクセスプローブが成功するまで、連続的に増加する電力レベルでアクセスプローブを送信することを備える、行うことと、
複数の前に成功したアクセスプローブのうちの少なくともいくつかに関連する１つまたは複数のパラメータに少なくとも部分的に基づいて初期送信電力レベルを決定することと、
後続のアクセス試行を行うことであって、初期アクセスプローブが前記決定された初期送信電力レベルで送信される、行うことと
を備える、アクセス端末において動作可能な方法。
［Ｃ９］
前記複数の成功したアクセスプローブに関連する１つまたは複数のパラメータに少なくとも部分的に基づいて前記初期送信電力レベルを決定することが、
前記複数の前に成功したアクセスプローブのうちの少なくともいくつかの平均電力レベルに少なくとも部分的に基づいて前記初期送信電力レベルを決定すること
を備える、請求項８に記載の方法。
［Ｃ１０］
前記複数の成功したアクセスプローブに関連する１つまたは複数のパラメータに少なくとも部分的に基づいて前記初期送信電力レベルを決定することが、
前記複数の前に成功したアクセスプローブに関連する平均開ループ電力レベルと前記後続のアクセス試行に関連する開ループ電力レベルとの差に少なくとも部分的に基づいて前記初期送信電力レベルを決定すること
を備える、請求項８に記載の方法。
［Ｃ１１］
前記複数の成功したアクセスプローブに関連する１つまたは複数のパラメータに少なくとも部分的に基づいて前記初期送信電力レベルを決定することが、
前記複数の前に成功したアクセスプローブのうちの少なくともいくつかの平均電力レベル（ＰAP）を決定することと、
前記複数の前に成功したアクセスプローブに関連する平均開ループ電力レベル（ＲOLsucc）を決定することと、
前記後続のアクセス試行に関連する開ループ電力レベル（ＲOLnew）を決定することと、
式Ｐ＝ＰAP＋（ＲOLsucc−ＲOLnew）から前記初期送信電力レベル（Ｐ）を決定することと
を備える、請求項８に記載の方法。
［Ｃ１２］
前記アクセス端末がモバイルであるのか、少なくとも実質的に固定であるのかを決定することと、
前記アクセス端末が少なくとも実質的に固定であると決定したことに応答して、前記決定された初期送信電力レベルで後続のアクセス試行の前記初期アクセスプローブを送信することと、
前記アクセス端末がモバイルであると決定したことに応答して、デフォルト初期送信電力レベルで後続のアクセス試行の前記初期アクセスプローブを送信することと
をさらに備える、請求項８に記載の方法。
［Ｃ１３］
後続のアクセス試行のための特定の初期送信電力レベルを採用するように前記アクセス端末に命令するメッセージを受信すること
をさらに備える、請求項８に記載の方法。
［Ｃ１４］
アクセス端末ロケーション、無線環境または両方を監視することと、
前記アクセス端末ロケーション、前記無線環境、または両方の十分な変化に応答して、デフォルト初期送信電力レベルで後続のアクセス試行の初期アクセスプローブを送信することと
をさらに備える、請求項８に記載の方法。
［Ｃ１５］
複数の先行するアクセス試行を行うための手段であって、各先行するアクセス試行は、アクセスプローブが成功するまで、連続的に増加する電力レベルでアクセスプローブを送信することを備える、行うための手段と、
複数の前に成功したアクセスプローブに関連する１つまたは複数のパラメータに少なくとも部分的に基づいて初期送信電力レベルを決定するための手段と、
後続のアクセス試行を行うための手段であって、初期アクセスプローブが前記決定された初期送信電力レベルで送信される、行うための手段と
を備える、アクセス端末。
［Ｃ１６］
プロセッサによって実行されたとき、前記プロセッサに、
複数の前に成功したアクセスプローブに関連する１つまたは複数のパラメータに少なくとも部分的に基づいて初期送信電力レベルを決定することと、
後続のアクセス試行の初期アクセスプローブを送信することであって、前記初期アクセスプローブが前記決定された初期送信電力レベルで送信される、送信することと
を行わせる、アクセス端末上で動作可能なプログラミングを備えるプロセッサ可読媒体。
［Ｃ１７］
通信インターフェースと、
記憶媒体と、
前記通信インターフェースと前記記憶媒体とに結合された処理回路であって、前記処理回路は、
アクセス端末から１つまたは複数のアクセスプローブを受信することと、
前記通信インターフェースを介して、後続のアクセス試行のための特定の初期送信電力レベルを採用するように前記アクセス端末に命令するメッセージを送ることと
を行うように適応された、処理回路と
を備える、ネットワークノード。
［Ｃ１８］
前記処理回路は、
前記通信インターフェースを介して、１つまたは複数のアクセスプローブを受信するより前にアクセスパラメータメッセージを送ることであって、前記アクセスパラメータメッセージが、アクセス試行のために採用されるべき初期送信電力レベルと電力増分値とを示すように適応された、送ること
を行うようにさらに適応された、請求項１７に記載のネットワークノード。
［Ｃ１９］
前記１つまたは複数の受信されたアクセスプローブのうちの少なくとも１つが、複数の前に成功したアクセスプローブに関連する１つまたは複数のパラメータに少なくとも部分的に基づく電力レベルで送信された初期アクセスプローブを備える、請求項１７に記載のネットワークノード。
［Ｃ２０］
前記特定の初期送信電力レベルを採用するように前記アクセス端末に命令する前記メッセージがアクセスパラメータメッセージを備える、請求項１７に記載のネットワークノード。
［Ｃ２１］
前記特定の初期送信電力レベルを定義する値が、前記特定の初期送信電力レベルを採用するように前記アクセス端末に命令する前記メッセージ中に含まれる、請求項１７に記載のネットワークノード。
［Ｃ２２］
前記特定の初期送信電力レベルがデフォルト値を備える、請求項１７に記載のネットワークノード。
［Ｃ２３］
アクセス端末から１つまたは複数のアクセスプローブを受信することと、
後続のアクセス試行のための特定の初期送信電力レベルを採用するように前記アクセス端末に命令するメッセージを送信することと
を備える、ネットワークノードにおいて動作可能な方法。
［Ｃ２４］
前記１つまたは複数のアクセスプローブを受信するより前にアクセスパラメータメッセージを送信することであって、前記アクセスパラメータメッセージが、アクセス試行のために採用されるべき初期送信電力レベルと電力増分値とを示すように適応された、送信すること
をさらに備える、請求項２３に記載の方法。
［Ｃ２５］
前記アクセス端末から前記１つまたは複数のアクセスプローブを受信することが、
複数の前に成功したアクセスプローブに関連する１つまたは複数のパラメータに少なくとも部分的に基づく電力レベルで送信された初期アクセスプローブを受信すること
を備える、請求項２３に記載の方法。
［Ｃ２６］
前記特定の初期送信電力レベルを採用するように前記アクセス端末に命令する前記メッセージを送信することが、
前記特定の初期送信電力レベルとしてデフォルト値を採用するようにとの指示を備える前記メッセージを送信すること
を備える、請求項２３に記載の方法。
［Ｃ２７］
前記特定の初期送信電力レベルを採用するように前記アクセス端末に命令する前記メッセージを送信することが、
前記特定の初期送信電力レベルを定義する値を備える前記メッセージを送信すること
を備える、請求項２３に記載の方法。
［Ｃ２８］
前記特定の初期送信電力レベルを採用するように前記アクセス端末に命令する前記メッセージを送信することが、
前記特定の初期送信電力レベルを採用するように前記アクセス端末に命令するように適応されたインジケータを含むアクセスパラメータメッセージを送信すること
を備える、請求項２３に記載の方法。
［Ｃ２９］
アクセス端末から１つまたは複数のアクセスプローブを受信するための手段と、
後続のアクセス試行のための特定の初期送信電力レベルを採用するように前記アクセス端末に命令するメッセージを送信するための手段と
を備える、ネットワークノード。
［Ｃ３０］
前記１つまたは複数のアクセスプローブを受信するより前にアクセスパラメータメッセージを送信するための手段であって、前記アクセスパラメータメッセージが、アクセス試行のために採用されるべき初期送信電力レベルと電力増分値とを示すように適応された、送信するための手段
をさらに備える、請求項２９に記載のネットワークノード。
［Ｃ３１］
プロセッサによって実行されたとき、前記プロセッサに、
アクセス端末から１つまたは複数のアクセスプローブを受信することと、
後続のアクセス試行のための特定の初期送信電力レベルを採用するように前記アクセス端末に命令するメッセージを送ることと
を行わせる、ネットワークノード上で動作可能なプログラミングを備えるプロセッサ可読媒体。
【図１】
0005840799.tif 000002
【図２】
0005840799.tif 000003
【図３】
0005840799.tif 000004
【図４】
0005840799.tif 000005
【図５】
0005840799.tif 000006
【図６】
0005840799.tif 000007
【図７】
0005840799.tif 000008
【図８】
0005840799.tif 000009